(57)【要約】【課題】  各種情報の表示を見やすく、且つ、小型で安価な撮像装置を提供する。【解決手段】  撮像部と、撮影画像の記録再生を行う記録再生部と、画像表示を行うモニタ表示部とを備え、モニタ表示部には撮影条件に関わる情報と、操作に関わる複数のメニューが表示可能で、メニューＳＷがオンされたらメニュー項目表示を大きく、撮影条件情報表示を小さく表示し（Ｓ１０３）、撮影モード・ＴＶ値・ＡＶ値・等撮影条件に関わる設定の変更操作が行われたらメニュー項目表示を小さく、撮影条件情報表示を大きく表示する（Ｓ１０８）。【選択図】  図３
2007034175.tif 000002
【特許請求の範囲】
【請求項１】
撮像部と、撮影画像の記録再生を行う記録再生部と、画像表示を行うモニタ表示部とを備え、前記モニタ表示部の表示画面を第１の表示部と第２の表示部に区分し、前記第１、第２の表示部には撮影条件に関わる情報と、操作に関わる複数のメニューを表示し、どちらか一方の表示部の表示に関わる操作部材の操作が行われたら、操作に関連した表示部の表示領域を他方の表示領域より大きく表示することを特徴とする撮像装置。
【請求項２】
前記撮影条件に関わる情報の表示は、前記撮像装置の電源がオンしている時は常時表示し、前記操作に関わる複数のメニューの表示は、所定の操作部材が操作されたときに表示することを特徴とする請求項１記載の撮像装置。
【請求項３】
前記モニタ表示部に前記操作に関わる複数のメニューの表示が行われていない時は、前記撮影条件に関わる情報の表示領域を前記モニター表示部の全領域と略同等とすることを特徴とする請求項１記載の撮像装置。
【発明の詳細な説明】
【技術分野】
【０００１】
本発明は、撮影画像及び複数のメニュー表示や撮影情報を単一の表示部にて表示可能な撮像装置に関するものである。
【背景技術】
【０００２】
従来の撮像装置、特に一眼レフタイプの撮像装置は、多様な機能を有しており、この多様な機能の操作設定を補助し、設定状態をユーザに知らせるために、ほとんどの撮像装置が画像表示及び複数のメニュー表示を行う為のＴＦＴ表示装置と、撮影条件に関わる情報を表示する為のＬＣＤ表示装置とを備えている。
【０００３】
また、特開２００３−３３８９５３号公報では、画像の再生時に撮影画像及び撮影情報の表示を行うことが可能な表示部を有し、固定された表示位置に対して、複数の表示項目の中から、表示位置が選択可能に構成されている。
【特許文献１】特開２００３−３３８９５３号公報
【発明の開示】
【発明が解決しようとする課題】
【０００４】
しかしながら、従来の撮像装置では表示装置を複数有しているので撮像装置の小型化及び低コスト化の弊害となっていた。更に、表示位置が同一面に無い為同時に見ることができなかった。
【０００５】
また、特開２００３−３３８９５３号公報の撮像装置では、単一の表示装置にて撮影画像、画像情報及び撮影情報の表示を行っており、限られた表示面積の中で複数の表示を行っている為、各表示が小さくなってしまい見難い表示となっていた。
【０００６】
本発明は斯かる事情に鑑みてなされたものであり、各種情報の表示を見やすく、且つ、小型で安価な撮像装置を提供する事を目的とする。
【課題を解決するための手段】
【０００７】
上記の目的を達成するため、請求項１の発明の撮像装置は、撮像部と、撮影画像の記録再生を行う記録再生部と、画像表示を行うモニタ表示部とを備え、モニタ表示部の表示画面を第１の表示部と第２の表示部に区分し、前記第１、第２の表示部には撮影条件に関わる情報と、操作に関わる複数のメニューを表示し、どちらか一方の表示部の表示に関わる操作部材の操作が行われたら、操作に関連した表示部の表示領域を他方の表示領域より大きく表示することを特徴とする。
【０００８】
また、請求項２の発明は、請求項１に記載の撮像装置であって、撮影条件に関わる情報の表示は、撮像装置の電源がオンしている時は常時表示し、操作に関わる複数のメニューの表示は、所定の操作部材が操作されたときに表示することを特徴とする。
【０００９】
また、請求項３の発明は、請求項１に記載の撮像装置であって、モニタ表示部に前記操作に関わる複数のメニューの表示が行われていない時は、撮影条件に関わる情報の表示領域をモニタ表示部の全領域と略同等とすることを特徴とする。
【発明の効果】
【００１０】
以上のようにこの発明によれば、撮影条件に関わる表示と操作に関わる複数のメニュー表示を単一の表示モニタに表示しても、操作部材の操作に応じて関連する表示の表示領域を大きくしているので、表示している字体が大きくり表示が見難くなることが無い。
【００１１】
また、撮影条件に関わる情報を表示する為のＬＣＤ表示装置が不要となるので、撮像装置の小型化及び低コスト化が実現できる。
【発明を実施するための最良の形態】
【００１２】
以下、本発明の実施の形態を図を参照しながら詳しく説明する。
【００１３】
図１は、本実施の形態に係る撮像装置の内部構成を示すブロック図である。
【００１４】
本発明の実施例である撮像装置は、不図示のマウントを介してカメラ本体１に装着された撮影レンズ１５０を駆動するレンズ駆動装置１２２、メカニカルシャッター装置１２１、固体撮像素子１００、アナログ信号処理回路１０１、Ａ／Ｄ変換器１０２、メイン信号処理回路１０３、メモリ１０８、Ｄ／Ａ変換器１０９、外部表示装置１１０、圧縮／解凍回路１１２、メモリカード１１４、コントロール回路１２０及びＣＰＵ（中央演算処理回路）１１７等から構成されている。
【００１５】
１４３は、本撮像装置の全ての動作の作動・非作動を設定するメインＳＷである。
【００１６】
１２６は撮影操作を行うためのレリーズボタンの第１ストロークによりオンするスイッチＳＷ１である。１２７は、レリーズボタンの第２ストロークによりオンするスイッチＳＷ２である。スイッチＳＷ１がオンされると測光制御・合焦制御が行なわれる、スイッチＳＷ２がオンされるとレリーズ動作が開始される。
【００１７】
１２８は他の操作釦と併用して、カメラに数値を入力したり、撮影モードを切り換えたりすることが可能となるメイン電子ダイヤルＳＷである。例えば９０°位相のずれた２ビットの信号をスイッチセンス回路に送ることにより、回転方向と回転クリック数が検出される。この回転方向と回転クリック数を検出することで、他の操作釦と併用して、カメラに数値を入力したり、撮影モードを切り換えたりすることが可能となる。
【００１８】
１２９はＵＰボタンの押し操作に連動して信号を発生するＵＰボタンＳＷであり、１３０はＤＯＷＮボタンの押し操作に連動して信号を発生するＤＯＷＮボタンＳＷであり、ＣＰＵ１１７により各ボタンＳＷのオン時間、オン回数を計数している。１４７はＡＥロックボタンを押し込む事によってオンするＡＥ（自動露出）ロックＳＷである。１４８は測距点選択ボタンを押し込む事によってオンするＡＦ（オートフォーカス）の測距点選択ＳＷである。
【００１９】
１１０は撮影された画像等を表示する外部表示装置（液晶表示器）である。また、外部表示装置１１０には、画像の表示以外にメニュー項目・選択項目・撮影条件に関わる情報等が表示されるようになっている。
【００２０】
１５０は被写体像を結像面に結像させる撮影レンズであり、カメラ本体１に着脱可能に構成されている。本図では簡略化してあるが、１枚または複数枚のレンズで構成され、単一の焦点距離（固定焦点）のレンズでもよいし、ズームレンズやステップズームレンズ等のように焦点距離可変のレンズでもよい。
【００２１】
１２２は被写体像を結像面に結像させるために撮影レンズ１５０を駆動するためのレンズ駆動装置である。１５１は、露出制御を行うための絞り羽根群である。１２３は絞り羽根群１５１を駆動するための絞り駆動装置である。
【００２２】
１４５は撮影モード選択ＳＷ、１４４はＡＦモード選択ＳＷ、１４６は測光モード選択ＳＷであり、調光補正ボタン／ＳＷも兼ねている。例えば、撮影モード選択ＳＷ１４５をオンさせてからメイン電子ダイヤルＳＷ１２８の切り替わりにより、Ｔｖ優先→Ａｖ優先→マニアル→プログラム→Ｔｖ優先→Ａｖ優先→マニアル→プログラム…と変更され、撮影者の意図するモードに設定することができる。また、撮影モード選択ＳＷ１４５とメイン電子ダイヤルＳＷ１２８によりＴｖ優先がモードとして設定されている場合には、メイン電子ダイヤルＳＷ１２８の切り替わりにより撮影者の希望するＴｖ値を設定することができる。また、撮影モード選択ＳＷ１４５とメイン電子ダイヤルＳＷ１２８によりＡｖ優先がモードとして設定されている場合には、メイン電子ダイヤルＳＷ１２８の切り替わりにより撮影者の希望とするＡｖ値を設定することができる。１３８は露出補正ＳＷである。露出補正ＳＷ１３８をオンさせた状態でメイン電子ダイヤルＳＷ１２８が切り替わると露出補正値を設定する事が出来る。この時、撮影条件に関わる情報の設定値の表示は、外部表示装置１１０にて行なわれる。
【００２３】
１３５はスロットカバー開閉検出ＳＷである。メモリスロット１１３にはメモリカード１１４が着脱自在に取り付けられる。
【００２４】
１３６はスロットカード検出ＳＷで、メモリスロット１１３にメモリカード１１４が装着された時にオンする。
【００２５】
１３１は、メニューＳＷで、メニューを切り替える時には、メニューＳＷ１３１をオンさせ、ＵＰボタンＳＷ１２９、ＤＯＷＮボタンＳＷ１３０をオンする事でメニュー項目を選択する事が出来る。この時のメニュー項目の表示は、外部表示装置１１０にて行なわれる。
【００２６】
ＳＥＬＥＣＴ（選択）ＳＷ１３２は、ＵＰボタンＳＷ１２９、ＤＯＷＮボタンＳＷ１３０をオンする事で、選択したメニュー項目の設定値を変更する事が出来る。この時、メニュー項目の設定値の表示は、外部表示装置１１０にて行なわれる。
【００２７】
ディスプレイＳＷ１３３は、外部表示装置１１０にメモリカード１１４に入っている画像を再生表示させるためのスイッチである。
【００２８】
消去ＳＷ１３４は、外部表示装置１１０に画像が表示されている時に消去ＳＷ１３４をオンさせると表示されている画像データをメモリカード１１４上から削除する事が出来る。
【００２９】
１２４は測光装置で、不図示のフォーカシングスクリーンに結像された被写体像の輝度を、不図示の光学部材を介して測定するものであり、この測光装置１２４の出力信号に基づいて露光時の露出制御を行うようになっている。
【００３０】
１２５は焦点検出装置で、該焦点検出装置１２５の出力信号に基づいて撮影レンズ１５０のレンズ駆動装置１２２を制御し、結像レンズ１５０にて焦点調節を行う。
【００３１】
１２１はメカニカルシャッター装置で、被写体光束の結像面への入射時間を機械的に制御するものである。このメカニカルシャッター装置１２１は、ファインダー観察時には被写体光束を遮光し且つ撮影時にはレリーズ信号に応じて被写体光束の光路から退避して露光を開始させる先羽根郡と、ファインダー観察時には被写体光束の光路から退避し且つ撮影時には先羽根郡の走行（駆動）開始後に所定のタイミングで被写体光束を遮光する後羽根郡とを有するフォーカルプレーンシャッターである。
【００３２】
１００は固体撮像素子で、撮影レンズ１５０により結像された被写体像を撮像して電気信号に変換するものである。この固体撮像素子１００としては、公知の２次元型撮像デバイスが用いられている。この撮像デバイスには、ＣＣＤ型、ＭＯＳ型、ＣＩＤ型等、様々な形態があり、いずれの形態の撮像デバイスを採用してもよいが、本実施の形態においては、光電変換素子（フォトセンサ）が２次元的に配置され、各フォトセンサで蓄積された信号電荷が垂直転送路及び水平転送路を介して出力されるインターライン型ＣＣＤ（電荷結合素子）の撮像素子が採用されている。また、固体撮像素子１００は、各フォトセンサに蓄積される電荷の蓄積時間（シャッター秒時）を制御する、いわゆる電子シャッター機能（電子シャッター手段）を有している。
【００３３】
撮影レンズ１５０を透過してきた被写体光束は、絞り駆動装置１２３によって駆動される絞り羽根群１５１とメカニカルシャッター装置１２１とでその光量が規制され、固体撮像素子１００上に投影結像される。このとき、固体撮像素子１００は、コントロール回路１２０を介して電荷の蓄積時間が制御される。固体撮像素子１００の受光面に結像された被写体像は、各フォトセンサで光の入射光量に応じた量の信号電荷に変換され、撮像出力信号として順次読み出された後、アナログ信号処理回路１０１に供給される。アナログ信号処理回路１０１は、ＣＤＳクランプ回路やゲイン調整回路等を含み、固体撮像素子１００から入力した撮像出力信号（アナログ電気信号）をコントロール回路１２０の制御に基づいて適宜処理する。アナログ信号処理回路１０１から出力された信号は、Ａ／Ｄ変換器１０２によってデジタル信号に変換された後、メイン信号処理回路１０３へ送られる。メイン信号処理回路１０３は、ゲイン調整回路１０４、オフセット回路１０５、ヒストグラム生成回路１０７及びデジタル信号処理回路１０６等からなる。Ａ／Ｄ変換器１０２から出力されたデータは、ゲイン調整回路１０４及びオフセット回路１０５を経由して、ヒストグラム生成回路１０７及びデジタル信号処理回路１０６へ送られる。ヒストグラム生成回路１０７は、Ａ／Ｄ変換器１０２から送られた１画面分のデータから信号レベルに対する撮像素子信号の積算値の分布を示すヒストグラムを作成する。そして、このヒストグラム演算に基づいてゲイン値やオフセット値が決定され、ＣＰＵ１１７からコントロール回路１２０を介してゲイン及びオフセットが制御される。
【００３４】
このように、ゲインとオフセットのコントロールを経由した信号は、デジタル信号処理回路１０６に送られる。デジタル信号処理回路１０６は、輝度（Ｙ）信号生成回路及び色差（Ｃ）信号生成回路を含み、オフセット回路１０５から入力した信号をＹ／Ｃ信号処理する。そして、デジタル信号処理回路１０６でＹ／Ｃ信号処理された画像データは、メモリ１０８に一時記憶される。このメモリ１０８に記憶された画像データはデコードされた後、Ｄ／Ａ変換器１０９でアナログ信号に変換され、画像表示手段としての液晶モニター等の外部表示装置１１０に供給される。こうして、外部表示装置１１０には、固体撮像素子１００で捉えた映像が表示される。この外部表示装置１１０には、レリーズＳＷ２（１２７）によって発せられる撮影開始信号に基づいて撮影した静止画が表示される。
【００３５】
尚、Ｄ／Ａ変換器１０９でアナログ信号に変換された信号は、不図示のビデオ出力端子等から外部映像出力１１１として取り出すことができる。
【００３６】
また、撮影開始信号の入力に呼応して取得した本撮像の画像データは、メモリ１０８から圧縮／解凍回路１１２に導かれ、ここで所定の形式（例えば、ＪＰＥＧ）に従って圧縮処理された後、記録媒体としてのメモリカード１１４に記録される。
【００３７】
尚、メモリカード１１４に記録された画像データは、ＣＰＵ１１７を介して呼び出しが可能であり、該呼び出された画像データは、圧縮／解凍回路１１２で解凍再生処理された後、メモリ１０８、Ｄ／Ａ変換器１０９を介して外部表示装置１１０に出力され、または、不図示のビデオ信号出力端子等に供給され、他の外部機器に出力可能である。
【００３８】
ＣＰＵ１１７は、測光装置１２４、焦点検出装置１２５、コントロール回路１２０、ヒストグラム生成回路１０７、デジタル信号処理回路１０６、メモリ１０８及びメモリカード１１４、各ＳＷと接続されており、所定のアルゴリズムに従って露出値、撮影レンズ１５０の焦点位置等の各種演算を行ない、自動露光制御、オートフォーカス、オートストロボ、オートホワイトバランス等の制御を総括的に管理する。また、ＣＰＵ１１７は、各ＳＷ入力信号に基づいて該当する回路を制御する。
【００３９】
測光装置１２４の出力信号はＣＰＵ１１７に送られ、このＣＰＵ１１７において露光時間を示す露出制御値が算出される。そして、得られた露出制御値は、ＣＰＵ１１７からコントロール回路１２０に送られ、該コントロール回路１２０を介して自動露光制御、オートストロボ、オートホワイトバランス等の制御が行なわれる。
【００４０】
温度センサー１１９はカメラ本体１の温度を測定するセンサーである。ブザー１２８は、主に撮影時の警告などに用いられる音発生手段である。
【００４１】
１５２はメモリカード１１４へのアクセス状態を表示するためのＬＥＤでありる。
【００４２】
コントロール回路１２０は、ＣＰＵ１１７から送られた露出制御値に基づいて固体撮像素子１００の駆動回路を制御し、電子シャッター制御モード時には、固体撮像素子１００の電荷蓄積時間を、また、メカニカルシャッター制御モード時には、メカニカルシャッター装置１２１の開閉タイミング等を制御すると共に、露光時に絞り駆動装置１２６を制御する。
【００４３】
図２は、本実施の形態に係る撮像装置の外部表示装置１１０の表示状態を示す図である。
【００４４】
図２（ａ）は、撮像装置の電源がオンされている時のスタンバイ状態を示す図であり、外部表示装置１１０には現在設定されている撮影諸条件が外部表示装置の表示領域全面に表示されている。図２（ｂ）は、図２（ａ）の状態からメニューＳＷ１３１がオンされた状態を示す図であり、撮影条件の表示を縮小してメニュー項目が大きく表示されている。図２（ｃ）は、図２（ｂ）の状態から撮影条件に関連するスイッチがオンされた状態を示す図であり、メニュー項目の表示を縮小して撮影条件が大きく表示されている。図２（ｄ）は、ディスプレイＳＷ１３３がオンされメモリカード１１４に記憶された画像データを再生表示した状態を示す図であり、人物の画像が表示されている。
【００４５】
次に、図３のフローチャートを用いて、メニュー設定及び撮影条件設定時の外部表示装置への表示動作について説明する。
【００４６】
ステップＳ１０１では、スタンバイ状態からメニューＳＷ１３１がオンされたか否かを判別し、オンされたらステップＳ１０２へ進みメニュー変更モードを開始し、オンされなければスタンバイ状態を保持する。尚、スタンバイ状態の外部表示装置１１０の表示は図２（ａ）に示すように、撮影モード、ＴＶ値、ＡＶ値、ドライブモード、ＡＦモード、測光モード、露出補正値、バッテリー残量等撮影条件に関連する情報が表示されている。ステップＳ１０３では、図２（ｂ）に示すように、メニュー項目を大きく表示させ、撮影条件に関連する情報表示を小さく表示する。ステップＳ１０４では、スイッチＳＷ１（１２６）がオンしたか否かを判別し、オンしたらステップＳ１０５へ進みメニュー変更モードを終了させてスタンバイ状態に戻り、オンしなければステップＳ１０６へ進む。ステップＳ１０６では、撮影モード、ＴＶ値、ＡＶ値、ドライブモード、ＡＦモード、測光モード等の撮影条件変更操作が行われたか否かを判別し、撮影条件変更操作が行われていなければステップＳ１０４へ戻り、変更操作が行われたらステップＳ１０７へ進み撮影条件変更モードを開始する。ステップＳ１０８では、図２（ｃ）に示すように、メニュー項目を小さく表示させ、撮影条件に関連する情報表示を大きく表示する。ステップＳ１０９では、ステップＳ１０４同様にスイッチＳＷ１（１２６）がオンしたか否かを判別し、オンしたらステップＳ１１０へ進み撮影条件変更モードを終了させてスタンバイ状態に戻り、オンしなければステップＳ１１１へ進む。ステップＳ１１１では、ステップＳ１０１同様にメニューＳＷ１３１がオンされたか否かを判別し、オンされたらステップＳ１０２へ戻り再度メニュー変更モードを開始し、オンされなければステップＳ１０９へ戻る。
【００４７】
以上のように構成することで、撮影条件に関わる情報を表示する為の専用のＬＣＤ表示装置を備えることなく、単一の表示装置でメニュー項目や撮影条件に関わる情報を見やすく表示することができる。
【図面の簡単な説明】
【００４８】
【図１】本実施の形態に係る撮像装置の内部構成を示すブロック図である。
【図２】本実施の形態に係る撮像装置の外部表示装置の表示状態を示す図である。
【図３】本実施の形態に係る撮像装置のメニュー設定及び撮影条件設定時の外部表示装置への表示動作について説明するフローチャート図である。
【符号の説明】
【００４９】
１  カメラ本体
１００  固体撮像素子
１１０  外部表示装置
１１４  メモリーカード
１１７  ＣＰＵ
１２６  スイッチＳＷ１
１２７  スイッチＳＷ２
１２８  メイン電子ダイヤルＳＷ
１３１  メニューＳＷ
１３２  ＳＥＬＥＣＴ（選択）ＳＷ
１３３  ディスプレイＳＷ
１３８  露出補正ＳＷ
１４３  メインスイッチ
１４４  ＡＦモード選択ＳＷ
１４５  撮影モード選択ＳＷ
１４６  測光モード選択ＳＷ
１５０  撮影レンズ
【図１】
2007034175.tif 000003
【図２】
2007034175.tif 000004
【図３】
2007034175.tif 000005